(57)【要約】コンピュータの筐体の開口（２１０ｂ）を塞ぐ蓋（２３０）は、内蓋（２３１）と、外蓋（２３２）と、止水部材（２３３）とを備える。内蓋（２３１）においてヒンジ軸心（Ａｒ）に近い側の端部に係合孔（２３１ｋ）が設けられている。筐体に、内蓋（２３１）が底面（２１０ｇ）に対向するまで回動したときに係合孔（２３１ｋ）と係合する係合凸部（２１０ｆ）が設けられている。外蓋（２３２）においてヒンジ軸心（Ａｒ）から遠い側の端部に右突起（２３２ｄ）が設けられている。筐体に、外蓋（２３２）がヒンジ軸心（Ａｒ）から離れる側にスライドされたときに右突起（２３２ｄ）と係合する係合凹部（２１０ｊ）が設けられている。
2018155326.tif 000002
【特許請求の範囲】
【請求項１】
電子部品を収容する筐体の所定面に設けられた開口を塞ぎ、前記筐体にヒンジ部を介して連結される蓋を有する電子機器であって、
前記蓋は、内蓋と、外蓋と、前記内蓋の内面に取り付けられた止水部材とを備え、
前記ヒンジ部は、前記所定面に平行なヒンジ軸心を有し、前記内蓋の一端部に連結されて、前記内蓋を前記ヒンジ軸心を中心として回動可能に支持し、
前記外蓋は、前記内蓋により、前記内蓋の外面に沿って前記ヒンジ軸心に垂直な方向にスライド可能なように支持され、
前記止水部材は、前記内蓋が前記所定面に対向するまで回動したときに前記所定面の前記開口の周囲に当接して前記開口を塞ぎ、
前記内蓋において前記ヒンジ軸心に近い側の端部に第１係合部が設けられ、
前記筐体に、前記内蓋が前記所定面に対向するまで回動したときに前記第１係合部と係合する第２係合部が設けられ、
前記外蓋において前記ヒンジ軸心から遠い側の端部に第３係合部が設けられ、
前記筐体に、前記外蓋が前記ヒンジ軸心から離れる側にスライドされたときに前記第３係合部と係合する第４係合部が設けられている、
電子機器。
【請求項２】
前記内蓋及び前記外蓋は、弾性を有する樹脂製であり、
前記内蓋の外面に、前記外蓋側に突出する第１の突起が設けられ、
前記外蓋の内面に、前記内蓋側に突出する第２の突起が設けられ、
前記外蓋が前記ヒンジ軸心から離れる側にスライドされる過程で前記第２の突起が前記第１の突起を乗り越え、
前記第３係合部と前記第４係合部とが係合しているときに、前記第２の突起が、前記第１の突起よりも前記ヒンジ軸心から遠い側に位置し、前記第１の突起に当接または近接する、
請求項１に記載の電子機器。
【請求項３】
前記筐体は、マグネシウム合金製である、
請求項１または２に記載の電子機器。
【請求項４】
前記開口は、外部機器またはケーブルが接続されるコネクタ用の開口である、
請求項１から３のいずれか１項に記載の電子機器。
【発明の詳細な説明】
【技術分野】
【０００１】
本開示は、筐体の開口を塞ぐ蓋を有する電子機器に関する。
【背景技術】
【０００２】
特許文献１は、筐体の開口を塞ぐ防水蓋を有する電子機器を開示している。防水蓋は、ヒンジとして機能する樹脂製の固着部を介して筐体に接続され、閉じられることで筐体の開口を塞ぐ。
【先行技術文献】
【特許文献】
【０００３】
【特許文献１】特開２０１３−６２２３４号公報
【発明の概要】
【０００４】
ヒンジが上記のように樹脂製であると、高温環境下に電子機器が放置されたような場合に、蓋が軟化して蓋開き方向に塑性変形し、その結果、防水性能が低下する虞がある。
【０００５】
本開示は、筐体の開口を塞ぐ蓋を有する電子機器の防水性能の低下を抑制する技術を提供する。
【０００６】
本開示の一態様に係る電子機器は、電子部品を収容する筐体の所定面に設けられた開口を塞ぎ、筐体にヒンジ部を介して連結される蓋を有する。
【０００７】
蓋は、内蓋と、外蓋と、内蓋の内面に取り付けられた止水部材とを備える。
【０００８】
ヒンジ部は、所定面に平行なヒンジ軸心を有し、内蓋の一端部に連結されて、内蓋をヒンジ軸心を中心として回動可能に支持する。
【０００９】
外蓋は、内蓋により、内蓋の外面に沿ってヒンジ軸心に垂直な方向にスライド可能なように支持されている。
【００１０】
止水部材は、内蓋が所定面に対向するまで回動したときに所定面の開口の周囲に当接して開口を塞ぐ。
【００１１】
内蓋においてヒンジ軸心に近い側の端部に第１係合部が設けられている。
【００１２】
筐体に、内蓋が所定面に対向するまで回動したときに第１係合部と係合する第２係合部が設けられている。
【００１３】
外蓋においてヒンジ軸心から遠い側の端部に第３係合部が設けられている。
【００１４】
筐体に、外蓋がヒンジ軸心から離れる側にスライドされたときに第３係合部と係合する第４係合部が設けられている。
【００１５】
本開示の技術により、蓋は、ヒンジ軸心から遠い側の端部だけでなく、近い側の端部でも筐体に係合される。そのため、蓋が蓋開き方向に塑性変形しても、蓋の閉じが緩くなることが抑制される。よって、筐体の開口を塞ぐ蓋を有する電子機器の防水性能の低下を抑制できる。
【図面の簡単な説明】
【００１６】
【図１】図１は、実施の形態１におけるコンピュータの斜視図である。
【図２Ａ】図２Ａは、キーボードユニットの蓋配置部分の拡大斜視図であり、蓋が閉じられた状態を示す。
【図２Ｂ】図２Ｂは、キーボードユニットの蓋配置部分の拡大斜視図であり、蓋が開けられた状態から閉じられた状態へ遷移中の状態を示す。
【図２Ｃ】図２Ｃは、キーボードユニットの蓋配置部分の拡大斜視図であり、蓋が開けられた状態を示す。
【図３Ａ】図３Ａは、キーボードユニットの筐体の蓋配置部分の拡大斜視図である。
【図３Ｂ】図３Ｂは、キーボードユニットの筐体の蓋配置部分の拡大斜視図である。
【図４Ａ】図４Ａは、蓋の分解斜視図である。
【図４Ｂ】図４Ｂは、蓋の分解斜視図である。
【図５Ａ】図５Ａは、キーボードユニットの蓋配置部分の断面図であり、蓋が閉じられた状態を示す。
【図５Ｂ】図５Ｂは、キーボードユニットの蓋配置部分の断面図であり、蓋が開けられた状態から閉じられた状態へ遷移中の状態を示す。
【図５Ｃ】図５Ｃは、キーボードユニットの蓋配置部分の断面図であり、蓋が開けられた状態を示す。
【発明を実施するための形態】
【００１７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１８】
なお、発明者は、当業者が本開示を十分に理解するために添付図面および以下の説明を提供するのであって、これらによって請求の範囲に記載の主題を限定することを意図するものではない。
【００１９】
（実施の形態１）
以下、図面を参照して実施の形態１を説明する。
【００２０】
［１．構成］
［１−１．概要］
図１は、実施の形態１におけるコンピュータの斜視図である。コンピュータ１は、電子機器の一例である。コンピュータ１は、タブレット型コンピュータ１００と、キーボードユニット２００とを有する。
【００２１】
タブレット型コンピュータ１００の前面には、タッチパネルを有する表示部１０１が設けられている。また、タブレット型コンピュータ１００の内部には、中央演算処理装置（ＣＰＵ）、メモリ、ソリッドステートドライブ（ＳＳＤ）、画像プロセッサ、通信モジュール等、種々の電子部品が収容されている。
【００２２】
キーボードユニット２００は、複数のキーを含むキーボード２０１（キーの図示は省略している）やタッチパッド２０２を有する。また、キーボードユニット２００は、タブレット型コンピュータ１００との間でデータを授受するためのインタフェース（図示せず）や、外部機器を接続するための外部機器インタフェースを有する。キーボードユニット２００の内部には、キーボードコントローラや、タッチパッドコントローラ等、種々の電子部品が収容されている。
【００２３】
キーボードユニット２００の右側部には、ＬＡＮケーブルを接続可能なＬＡＮコネクタ２０３が収容されている。筐体２１０においてＬＡＮコネクタ２０３の差し込み口に対向する位置には、開閉可能な蓋２３０が設けられている。
【００２４】
［１−２．蓋配置部分の構造］
図２Ａ、図２Ｂおよび図２Ｃは、キーボードユニットの蓋配置部分の拡大斜視図である。なお、筐体２１０は、図１に示すように上筐体２１０Ａと下筐体２１０Ｂとで構成される。図２Ａ、図２Ｂおよび図２Ｃでは下筐体２１０Ｂの図示を省略している。また、蓋２３０の固定板２３４を筐体２１０に固定するネジ２４０を破線で示している。
【００２５】
図２Ａは、蓋２３０が閉じられた状態を示している。蓋２３０は、内蓋２３１と、内蓋２３１に対して左右方向にスライド可能な外蓋２３２とを有している。蓋２３０は、ヒンジ部２３４ｂのヒンジ軸心Ａｒを中心として回動可能に構成されている。蓋２３０を開くためには、図２Ｂに示すように、外蓋２３２をヒンジ部２３４ｂ側にスライドさせて、外蓋２３２の右突起２３２ｄと筐体２１０の係合凹部２１０ｊとの係合を解除する。これにより、蓋２３０がヒンジ軸心Ａｒを中心として回動可能となる。次に、図２Ｃに示すように、蓋２３０をヒンジ軸心Ａｒを中心として回動させて開く。これにより、ＬＡＮコネクタ２０３に通じる開口２１０ｂが露出する。
【００２６】
ここで、図２Ａ及び図２Ｂに示すように、蓋２３０が閉じられているとき、内蓋２３１の左端側に形成された係合孔２３１ｋに、筐体２１０の係合凸部２１０ｆが嵌まるように構成されている。また、図２Ａのように外蓋２３２がヒンジ軸心Ａｒから離れる側（右側）にスライドされているとき、蓋２３０は右端側と左端側の両方で筐体２１０に係止される。筐体２１０の係合凸部２１０ｆは、蓋２３０の係合孔２３１ｋのヒンジ軸心Ａｒを中心とした回動軌跡上に設けられている。そのため、蓋２３０を回動させて開くときに、蓋２３０の係合孔２３１ｋと筐体２１０の係合凸部２１０ｆとの係合が解除される。
【００２７】
次に、コンピュータ１において蓋２３０が設けられている部分の構造を、図３Ａ、図３Ｂ、図４Ａ、図４Ｂを参照してより具体的に説明する。図３Ａ、図３Ｂは、キーボードユニット２００の筐体２１０の蓋配置部分の拡大斜視図である。なお、図３Ａは蓋配置部分を右上方から見た斜視図であり、図３Ｂは蓋配置部分を左上方から見た斜視図である。図４Ａ、図４Ｂは、蓋２３０の分解斜視図である。図４Ａは、分解した蓋２３０を外面側から見た斜視図であり、図４Ｂは、分解した蓋２３０を内面側から見た斜視図である。なお、図３Ａ以後の図面では、説明及び理解の容易のため便宜上、方向表示を付している。この方向表示は、キーボードユニット２００において蓋２３０が設けられた側部を正面から見たときを基準として付しているが、この方向でコンピュータ１が使用や配置されるべきことを意味するものではない。なお、これらの図の方向表示例では、左右方向は装置前後方向（装置奥行き方向）に、内外方向は装置幅方向に、上下方向は装置厚み方向に対応する。
【００２８】
図３Ａ、図３Ｂに示すように、筐体２１０の側部には、蓋２３０（内蓋２３１）が嵌まる第１凹部２１０ａと、固定板２３４が嵌まる第２凹部２１０ｋが設けられている。固定板２３４が嵌まる第２凹部２１０ｋには、内蓋部材２３５の固定板２３４の筒部２３４ａが嵌まるネジボス２１０ｄが立設されている。
【００２９】
第１凹部２１０ａの底面２１０ｇの中央部分は、筐体内方側に段下げした段下げ面２１０ｈとなっている。段下げ面２１０ｈは止水部材２３３が嵌まる大きさを有する。底面２１０ｇの段下げ面２１０ｈには前述したＬＡＮコネクタ２０３用の開口２１０ｂが設けられている。また、段下げ面２１０ｈの開口２１０ｂの周縁に沿って、外方に突出する枠状の周縁リブ２１０ｃが設けられている。
【００３０】
第１凹部２１０ａと第２凹部２１０ｋの間に第１凹部２１０ａの左側面を構成する仕切板状の左側面部２１０ｅが設けられている。左側面部２１０ｅには、第１凹部２１０ａ側に突出する係合凸部２１０ｆが設けられている。
【００３１】
第１凹部２１０ａの右側面部２１０ｉには、溝状の係合凹部２１０ｊが設けられている。
【００３２】
図４Ａ、図４Ｂに示すように、蓋２３０は、外蓋２３２と、内蓋部材２３５と、止水部材２３３とを有する。
【００３３】
外蓋２３２は、ポリカーボネート（ＰＣ）、ＡＢＳ等の樹脂製である。なお、樹脂の種類はこれに限定されない。外蓋２３２は、略四角形の板状の部材であり、その上辺には上方に突出する上突起２３２ｂが設けられ、下辺には下方に突出する下突起２３２ｃが設けられ、右辺には右方に突出する右突起２３２ｄが設けられている。また、外蓋２３２における内蓋２３１側の面（外蓋２３２の内面）には、内方に突出する内突起２３２ｅが設けられている。
【００３４】
内蓋部材２３５は、内蓋２３１と、固定板２３４と、ヒンジ部２３４ｂとを有する。ヒンジ部２３４ｂは、内蓋２３１と固定板２３４とを連結する。内蓋部材２３５は、繰り返しの屈曲に対する耐久性を有するポリプロピレン（ＰＰ）等の樹脂製である。これにより、ヒンジ部２３４ｂと内蓋２３１が同一部品内で構成可能となる。内蓋部材２３５の樹脂素材がＰＰでない場合、繰り返しの屈曲に耐えられず破損する虞がある。この場合、例えば蓋のヒンジとして金属蝶番等の別部品を利用することが考えられるが、電子機器においてはデザインや重量等の面で好ましくない。ヒンジ部２３４ｂは、内蓋２３１や固定板２３４よりも薄肉に構成されている。これにより、ヒンジ部２３４ｂは、内蓋２３１と固定板２３４とを、ヒンジ軸心Ａｒを中心として相対回転可能に連結する。ヒンジ軸心Ａｒは、蓋２３０が筐体２１０に取り付けられた状態では、第１凹部２１０ａの底面２１０ｇに平行となる。
【００３５】
固定板２３４のほぼ中央には、内方に延びる筒部２３４ａが設けられている。
【００３６】
内蓋２３１は、板状の本体部２３１ａと、本体部２３１ａの左端部に連結された縦壁部２３１ｆとを有する。
【００３７】
本体部２３１ａには、左右方向に延びる溝状の凹部２３１ｂが設けられている。凹部２３１ｂには外蓋２３２が嵌まる。凹部２３１ｂの上側面には上溝２３１ｃが設けられ、凹部２３１ｂの下側面には下溝２３１ｄが設けられている。外蓋２３２が内蓋２３１に嵌められた状態において、上溝２３１ｃには外蓋２３２の上突起２３２ｂが嵌まり、下溝２３１ｄには外蓋２３２の下突起２３２ｃが嵌まる。上溝２３１ｃ及び下溝２３１ｄの左右方向の長さはそれぞれ、外蓋２３２の上突起２３２ｂ及び下突起２３２ｃの左右方向の長さよりも長くされている。これにより、外蓋２３２が内蓋２３１に対して左右方向にスライド可能なようになっている。言い換えると、外蓋２３２は、内蓋２３１の外面に沿ってヒンジ軸心Ａｒに垂直な方向にスライド可能である。
【００３８】
また、本体部２３１ａの凹部２３１ｂの底面（内蓋２３１の外面）には、外方に突出する外突起２３１ｍが設けられている。
【００３９】
縦壁部２３１ｆは、凹部２３１ｂの底面の左端側から底面に垂直に延びる板状に形成されている。縦壁部２３１ｆの上下方向の中間には、筐体２１０の係合凸部２１０ｆに係合可能な形状を有する係合孔２３１ｋが設けられている。
【００４０】
止水部材２３３は、弾性を有するウレタンフォーム製であり、内蓋２３１の本体部２３１ａの内面に両面テープにより取り付けられる。
【００４１】
［１−３．蓋と筐体との係合構造］
前述した図２Ａ、図２Ｂおよび図２Ｃに加え図５Ａ、図５Ｂおよび図５Ｃを参照して、蓋２３０と筐体２１０との係合構造について、蓋２３０を閉じる動作を踏まえてより詳しく説明する。図５Ａ、図５Ｂおよび図５Ｃは、キーボードユニット２００の蓋配置部分の断面図である。なお、図５Ａは、図２ＡのＡ１−Ａ１断面を示す。図５Ｂは、図２ＢのＡ２−Ａ２断面を示す。図５Ｃは、図２ＣのＡ３−Ａ３断面を示す。
【００４２】
図２Ｃ、図５Ｃに示す、蓋２３０が開かれた状態において、蓋２３０は、ヒンジ軸心Ａｒを中心として開方向に回動した状態にあり、筐体２１０の開口２１０ｂが露出している。
【００４３】
この状態から蓋２３０を閉じるためには、まず、図２Ｂ、図５Ｂに示すように、蓋２３０を矢印Ｓ１で示すようにヒンジ軸心Ａｒを中心として回動させて、蓋２３０を第１凹部２１０ａに嵌める。このとき、内蓋２３１の左端部を構成する縦壁部２３１ｆの係合孔２３１ｋに筐体２１０の係合凸部２１０ｆが嵌まる。これは、内蓋２３１の凹部２３１ｂの底面の左端部２３１ｎが筐体２１０の係合凸部２１０ｆと底面２１０ｇとで挟まれることでもある。そのため、内蓋２３１の左端部２３１ｎが筐体２１０の第１凹部２１０ａの底面２１０ｇから離間する方向に移動することが規制される。つまり、内蓋２３１においてヒンジ軸心Ａｒに近い側の端部である左端部２３１ｎ側の閉じが緩くなることが規制される。
【００４４】
次に、図２Ａ、図５Ａに示すように、外蓋２３２を矢印Ｓ２で示すように右側（ヒンジ軸心Ａｒから離れる側）にスライドさせる。これにより、外蓋２３２の右突起２３２ｄが筐体２１０の右側面部２１０ｉの係合凹部２１０ｊに嵌まる。そのため、外蓋２３２の右端側が筐体２１０の第１凹部２１０ａの底面２１０ｇから離間する方向に移動することが規制される。つまり、内蓋２３１においてヒンジ軸心Ａｒから遠い側の端部である右端部側の閉じが緩くなることが規制される。
【００４５】
図２Ａ、図５Ａのように蓋２３０が閉じられた状態では、止水部材２３３が周縁リブ２１０ｃに押し込まれることで、止水部材２３３に周縁リブ２１０ｃが食い込んで、両者が密着する。これにより、開口２１０ｂから筐体２１０内に水等の液体が浸入することを良好に防止できる。
【００４６】
このように、本実施形態のコンピュータ１では、蓋２３０が閉じられかつ外蓋２３２が右側にスライドされた状態では、蓋２３０は、ヒンジ軸心Ａｒから遠い右端側だけでなく、ヒンジ軸心Ａｒに近い左端側においても、筐体２１０に係止される。つまり、蓋２３０は、右端側と左端側の両方で筐体２１０に係止される。そのため、内蓋２３１が蓋開き方向に塑性変形しても、蓋２３０の閉じが緩くなることが抑制される。よって、コンピュータ１の防水性能は適切な状態で維持される。
【００４７】
ここで従来の電子機器における課題についてより詳しく説明する。例えば、夏場の停車車輌内では、通常の利用環境では生じ得ないような高温（例えば５０度以上）が生じる場合がある。このような高温環境下に電子機器が放置されると、樹脂製の蓋が軟化して蓋開き方向に塑性変形し、その結果、防水性能が低下する虞があった。
【００４８】
これに対し、本実施の形態のコンピュータ１では、蓋２３０は、ヒンジ軸心Ａｒから遠い右端側だけでなく、ヒンジ軸心Ａｒに近い左端側においても、筐体２１０に係止される。そのため、仮に、ＰＰ製の内蓋２３１が軟化したときに、蓋２３０に止水部材２３３の弾力による開き方向の力Ｐｒが加わって、内蓋２３１が蓋開き方向に塑性変形したとしても、内蓋２３１が筐体２１０の第１凹部２１０ａの底面２１０ｇから離間しにくくなる。
【００４９】
また、本実施の形態のコンピュータ１では、蓋２３０が閉じられる際に、内蓋２３１の左端部を構成する縦壁部２３１ｆの係合孔２３１ｋと筐体２１０の係合凸部２１０ｆとが自動で係合する。そのため、利用者において、内蓋２３１の左端部の係合孔２３１ｋと筐体２１０の係合凸部２１０ｆとを係合させるための別途の操作は必要ない。
【００５０】
また、外蓋２３２がヒンジ軸心Ａｒから離れる側にスライドされる過程で、外蓋２３２の内突起２３２ｅが内蓋２３１の外突起２３１ｍを乗り越える。そして、内突起２３２ｅは、外突起２３１ｍよりもヒンジ軸心Ａｒから遠い側に位置して外突起２３１ｍに当接する。そのため、外蓋２３２は、利用者による左向きの操作力が加わらない限り、ヒンジ軸心Ａｒ側に移動することが規制される。よって、防水性能がより向上する。なお、内突起２３２ｅは、外突起２３１ｍよりもヒンジ軸心Ａｒから遠い側に位置して外突起２３１ｍに近接することとしてもよい。
【００５１】
［２．効果等］
本実施の形態のコンピュータ１（電子機器の一例）は、電子部品を収容する筐体２１０の底面２１０ｇ（所定面）に設けられた開口２１０ｂを塞ぎ、筐体２１０にヒンジ部２３４ｂを介して連結される蓋２３０を有する。
【００５２】
蓋２３０は、内蓋２３１と、外蓋２３２と、内蓋２３１の内面に取り付けられた止水部材２３３とを備える。
【００５３】
ヒンジ部２３４ｂは、底面２１０ｇ（所定面）に平行なヒンジ軸心Ａｒを有し、内蓋２３１の左端部（一端部）に連結されて、内蓋２３１をヒンジ軸心Ａｒを中心として回動可能に支持する。
【００５４】
外蓋２３２は、内蓋２３１の外面に沿ってヒンジ軸心Ａｒに垂直な方向にスライド可能なように支持されている。
【００５５】
止水部材２３３は、内蓋２３１により、内蓋２３１が底面２１０ｇ（所定面）に対向するまで回動したときに底面２１０ｇ（所定面）の開口２１０ｂの周囲に当接して開口２１０ｂを塞ぐ。
【００５６】
内蓋２３１においてヒンジ軸心Ａｒに近い側の端部に係合孔２３１ｋ（第１係合部）が設けられている。
【００５７】
筐体２１０に、内蓋２３１が底面２１０ｇ（所定面）に対向するまで回動したときに係合孔２３１ｋ（第１係合部）と係合する係合凸部２１０ｆ（第２係合部）が設けられている。
【００５８】
外蓋２３２においてヒンジ軸心Ａｒから遠い側の端部に右突起２３２ｄ（第３係合部）が設けられている。
【００５９】
筐体２１０に、外蓋２３２がヒンジ軸心Ａｒから離れる側にスライドされたときに右突起２３２ｄ（第３係合部）と係合する係合凹部２１０ｊ（第４係合部）が設けられている。
【００６０】
これにより、蓋２３０は、ヒンジ軸心Ａｒから遠い側の端部だけでなく、近い側の端部においても筐体２１０に係合される。そのため、蓋２３０が蓋開き方向に塑性変形しても、蓋２３０の閉じが緩くなることが抑制される。よって、コンピュータ１の防水性能の低下が抑制される。
【００６１】
本実施の形態において、内蓋２３１及び外蓋２３２は、弾性を有する樹脂製である。
【００６２】
内蓋２３１の外面に、外蓋２３２側に突出する外突起２３１ｍ（第１の突起）が設けられている。
【００６３】
外蓋２３２の内面に、内蓋２３１側に突出する内突起２３２ｅ（第２の突起）が設けられている。
【００６４】
外蓋２３２がヒンジ軸心Ａｒから離れる側にスライドされる過程で内突起２３２ｅ（第２の突起）が外突起２３１ｍ（第１の突起）を乗り越える。
【００６５】
右突起２３２ｄ（第３係合部）と係合凹部２１０ｊ（第４係合部）とが係合しているときに、内突起２３２ｅ（第２の突起）が、外突起２３１ｍ（第１の突起）よりもヒンジ軸心Ａｒから遠い側に位置し、外突起２３１ｍ（第１の突起）に当接する。
【００６６】
これにより、外蓋２３２が、振動や止水部材２３３の弾性等の要因によりヒンジ軸心Ａｒから近い側に移動することが規制される。そのため、右突起２３２ｄ（第３係合部）と係合凹部２１０ｊ（第４係合部）とが係合した状態が、上記要因により解除されることが抑制される。
【００６７】
本実施の形態において、筐体２１０は、マグネシウム合金製である。
【００６８】
これにより、止水部材２３３により蓋２３０の右突起２３２ｄ（第３係合部）及び蓋２３０の係合孔２３１ｋ（第１係合部）に加わる外向きの力を、高い剛性を有するマグネシウム合金製の筐体２１０により適切に受け止めることができる。そのため、蓋２３０が開き方向に移動するのを抑制できる。
【００６９】
本実施の形態において、開口２１０ｂは、ＬＡＮコネクタ２０３（外部機器またはケーブルが接続されるコネクタの一例）用の開口である。
【００７０】
これにより、ＬＡＮコネクタ２０３を有するコンピュータ１の防水性能の低下が抑制される。
【００７１】
（他の実施形態）
以上のように、本開示の技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
（１）前記実施の形態では、本開示の電子機器を、コンピュータ１のキーボードユニットに適用した場合について説明した。しかし、本開示の電子機器は、タブレット型コンピュータ、スマートフォン、デスクトップ型コンピュータ、その他の電子機器に広く適用可能である。
（２）前記実施の形態では、本開示の第１係合部が係合孔２３１ｋ（孔）で構成され、第２係合部が係合凸部２１０ｆ（凸部）で構成されている場合を例示した。しかし、本開示において、第１係合部は凹部で構成され、第２係合部は凸部で構成されてもよい。また、第１係合部は凸部で構成され、第２係合部は凹部または孔で構成されてもよい。
（３）前記実施の形態では、本開示の第３係合部が右突起２３２ｄ（凸部）で構成され、第４係合部が係合凹部２１０ｊ（凹部）で構成されている場合を例示した。しかし、本開示において、第３係合部と係合する第４係合部は、孔で構成されてもよい。また、第３係合部は凹部または孔で構成され、第４係合部は凸部で構成されてもよい。
（４）前記実施の形態では、蓋がＬＡＮコネクタ用の筐体開口を塞ぐ蓋である場合を例示した。しかし、本開示において、蓋は、ＵＳＢ、ＨＤＭＩ（登録商標）規格の接続ケーブルや外部機器等を接続可能なコネクタ用の筐体開口を塞ぐ蓋であってもよい。また、電子機器の筐体のその他の開口を塞ぐ蓋であってもよい。
【００７２】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、請求の範囲またはその均等の範囲において種々の変更、置き換え、付加、省略などを行うことができる。
【産業上の利用可能性】
【００７３】
本開示は、筐体の開口を塞ぐ蓋を有する電子機器において広く利用可能である。
【符号の説明】
【００７４】
１  コンピュータ
１００  タブレット型コンピュータ
１０１  表示部
２００  キーボードユニット
２０１  キーボード
２０２  タッチパッド
２０３  ＬＡＮコネクタ
２１０  筐体
２１０Ａ  上筐体
２１０Ｂ  下筐体
２１０ａ  第１凹部
２１０ｂ  開口
２１０ｃ  周縁リブ
２１０ｄ  ネジボス
２１０ｅ  左側面部
２１０ｆ  係合凸部
２１０ｇ  底面
２１０ｈ  段下げ面
２１０ｉ  右側面部
２１０ｊ  係合凹部
２１０ｋ  第２凹部
２３０  蓋
２３１  内蓋
２３１ａ  本体部
２３１ｂ  凹部
２３１ｃ  上溝
２３１ｄ  下溝
２３１ｆ  縦壁部
２３１ｋ  係合孔
２３１ｍ  外突起
２３１ｎ  左端部
２３２  外蓋
２３２ｂ  上突起
２３２ｃ  下突起
２３２ｄ  右突起
２３２ｅ  内突起
２３３  止水部材
２３４  固定板
２３５  内蓋部材
２３４ａ  筒部
２３４ｂ  ヒンジ部
２４０  ネジ
【図１】
2018155326.tif 000003
【図２Ａ】
2018155326.tif 000004
【図２Ｂ】
2018155326.tif 000005
【図２Ｃ】
2018155326.tif 000006
【図３Ａ】
2018155326.tif 000007
【図３Ｂ】
2018155326.tif 000008
【図４Ａ】
2018155326.tif 000009
【図４Ｂ】
2018155326.tif 000010
【図５Ａ】
2018155326.tif 000011
【図５Ｂ】
2018155326.tif 000012
【図５Ｃ】
2018155326.tif 000013
【国際調査報告】
2018155326.tif 000014
2018155326.tif 000015
2018155326.tif 000016
2018155326.tif 000017